(57)【要約】【課題】  番組内容中の主要部分(ハイライトシーン)を検出し、その前後の所定区間を再生、その他を早送りすることにより、番組内容を短時間に把握する。【解決手段】  ハイライト検出手段は、スポーツ番組の画面中央付近の得点表示により得点シーンを検出、またはスポーツ番組などの音声信号の特定周波数領域のレベルにより観客の歓声を検出、またはレース番組などの物体・背景の動きベクトル量によりレース中のトラブル発生シーンを検出する。これらの検出位置を基準にｔ１時間前からｔ２時間後の区間を再生、またそれ以外の区間を早送りする。【選択図】  図１
2007004973.tif 000002
【特許請求の範囲】
【請求項１】
テレビジョン信号を記録媒体から再生する記録再生装置において、
記録速度を上回る早送り速度で記録方向と同じ方向に記録媒体を移動させる早送り手段と、
該早送り手段による早送り中に再生される記録内容の主要部分を検出するハイライト検出手段と、
該ハイライト検出手段における記録内容中の主要部分検出により記録速度を上回る巻戻し速度で記録方向と逆方向に記録媒体を移動させる巻戻し手段と、
該巻戻し手段による巻戻し開始からｔ１時間分巻戻ったことにより記録速度と同じ通常速度で再生を開始するハイライト再生開始手段と、
該ハイライト再生開始手段による通常再生の開始から所望の時間ｔが経過したことにより該早送り手段による早送りを再開するハイライト再生終了手段と、を備えてなることを特徴とする記録再生装置。
【請求項２】
テレビジョン信号を記録媒体から再生する記録再生装置において、
再生される記録内容中の音声信号の低周波領域を除去する低周波除去手段と、
該低周波除去手段から出力される音声信号レベルと所望のレベルＡｔｈとを比較する音声レベル比較手段と、
該音声レベル比較手段にて低周波除去手段から出力される音声信号が所望のレベルＡｔｈ以上の場合に記録速度と同じ速度で通常再生する音楽部分再生手段と、
該音声レベル比較手段にて低周波除去手段から出力される音声信号が所望のレベルＡｔｈ未満の場合に記録速度を上回る早送り速度で記録方向と同じ方向に記録媒体を移動させる音楽部分検索手段と、を備えてなることを特徴とする記録再生装置。
【請求項３】
テレビジョン信号を記録媒体に記録し、また、テレビジョン信号を記録媒体から再生する記録再生装置において、
記録時に記録内容の主要部分を検出するハイライト検出手段と、
該ハイライト検出手段にて検出される主要部分の記録媒体に対する位置Ｔｈからｔ１時間前の位置（Ｔｈ−ｔ１）を算出する位置算出手段と、該位置算出手段にて算出される位置（Ｔｈ−ｔ１）を記憶する位置記憶手段と、再生時に、該位置記憶手段にて記憶した位置（Ｔｈ−ｔ１）から所望の時間ｔの区間において記録速度と同じ速度で通常再生するハイライト再生手段と、
該ハイライト再生手段にて通常再生する以外の区間において記録速度を上回る早送り速度で記録方向と同じ方向に記録媒体を移動するハイライト検索手段と、を備えてなることを特徴とする記録再生装置。
【請求項４】
テレビジョン信号を記録媒体に記録し、また、テレビジョン信号を記録媒体から再生する記録再生装置において、
記録時に記録内容の主要部分を検出するハイライト検出手段と、
該ハイライト検出手段にて検出される主要部分の記録媒体に対する位置Ｔｈを記憶する位置記憶手段と、
再生時に、該位置記憶手段にて記憶した位置Ｔｈからｔ１時間前の位置（Ｔｈ−ｔ１）を算出する位置算出手段と、
該位置算出手段にて算出した位置（Ｔｈ−ｔ１）から所望の時間ｔの区間において記録速度と同じ速度で通常再生するハイライト再生手段と、
該ハイライト再生手段にて通常再生する以外の区間において記録速度を上回る早送り速度で記録方向と同じ方向に記録媒体を移動するハイライト検索手段と、を備えてなることを特徴とする記録再生装置。
【請求項５】
テレビジョン信号を記録媒体に記録し、また、テレビジョン信号を記録媒体から再生する記録再生装置において、
記録時に、記録内容中の音声信号の低周波領域を除去する低周波除去手段と、
該低周波除去手段から出力される音声信号レベルと所望のレベルＡｔｈとを比較する音声レベル比較手段と、
該音声レベル比較手段にて低周波除去手段から出力される音声信号が所望のレベルＡｔｈ以上となる瞬間の位置Ａｓおよび未満となる瞬間の位置Ａｅを記憶する位置記憶手段と、
再生時に、該位置記憶手段にて記憶した位置Ａｓから位置Ａｅの区間を記録速度と同じ速度で通常再生する音楽部分再生手段と、
該位置記憶手段にて記憶した位置Ａｓから位置Ａｅ以外の区間を記録速度を上回る早送り速度で記録方向と同じ方向に記録媒体を移動する音楽部分検索手段と、を備えてなることを特徴とする記録再生装置。
【請求項６】
請求項１、請求項３または請求項４のいずれかに記載の記録再生装置おいて、
前記ハイライト検出手段は、映像信号中の画面中央付近の文字パターンを抽出するパターン抽出手段と、該パターン抽出手段にて抽出された文字と数字パターン情報との一致を検出する数文字検出手段と、を有してなることを特徴とする記録再生装置。
【請求項７】
請求項１、請求項３または請求項４のいずれかに記載の記録再生装置おいて、
前記ハイライト検出手段は、特定周波数の音声信号を抽出する音声抽出手段と、該音声抽出手段で抽出される特定周波数の音声信号のレベルが所望のレベルＢｔｈ以上であることを検出する音声レベル検出手段と、該音声レベル検出手段における所望レベルＢｔｈ以上の音声信号がＴｃ時間以上継続することを検出する時間計測手段と、を有してなることを特徴とする記録再生装置。
【請求項８】
請求項１、請求項３または請求項４のいずれかに記載の記録再生装置おいて、
前記ハイライト検出手段は、映像信号中の物体、または背景の動きベクトル量を検出する動きベクトル検出手段と、該動きベクトル検出手段で検出したベクトル量が所望の値Ｖ以下であることを検出するベクトル量比較手段と、を有してなることを特徴とする記録再生装置。
【請求項９】
請求項３、請求項４または請求項５のいずれかに記載の記録再生装置おいて、
前記位置記憶手段は、前記テレビジョン信号が記録再生される記録媒体を有してなることを特徴とする記録再生装置。
【請求項１０】
請求項３、請求項４または請求項５のいずれかに記載の記録再生装置おいて、
前記位置記憶手段は、半導体メモリを有してなることを特徴とする記録再生装置。
【請求項１１】
請求項１ないし請求項５のいずれかに記載の記録再生装置おいて、
テレビジョン信号中のコマーシャルメッセージ部分を判別するコマーシャル判別手段と、
該コマーシャル判別手段によりコマーシャルメッセージ部分と判別される区間は前記ハイライト検出手段、または低周波除去手段の出力結果を無効とする検出禁止手段とを付加したことを特徴とする記録再生装置。
【請求項１２】
請求項７記載の記録再生装置において、
前記時間計測手段にて検出されるレベルＢｔｈ以上でＴｃ時間以上継続する音声信号の検出時の音声レベルとその継続時間とを記憶する情報記憶手段と、
該情報記憶手段にて記憶した音声レベルとその継続時間をｎ(ｎは整数)個の領域に区分する検出情報区分手段と、
再生時に、該検出情報区分手段にてｎ個の領域に区分された検出情報の内ｍ(≦ｎ)個の領域を選択する再生区分選択手段と、
該再生区分選択手段にて未選択の領域に属する前記時間計測手段におけるレベルＢｔｈ以上でＴｃ時間以上継続する音声信号の検出を無効とする再生禁止手段とを付加したことを特徴とする記録再生装置。
【請求項１３】
テレビジョン信号を記録媒体に記録し、また、テレビジョン信号を記録媒体から再生する記録再生装置において、
映像信号中の画面中央付近の文字パターンを抽出するパターン抽出手段と、該パターン抽出手段にて抽出された文字と数字パターン情報との一致を検出する数文字検出手段と、を有する第１の構成、
あるいは、特定周波数の音声信号を抽出する音声抽出手段と、該音声抽出手段で抽出される特定周波数の音声信号のレベルが所望のレベルＢｔｈ以上であることを検出する音声レベル検出手段と、該音声レベル検出手段における所望レベルＢｔｈ以上の音声信号がＴｃ時間以上継続することを検出する時間計測手段と、を有する第２の構成、
あるいは、映像信号中の物体、または背景の動きベクトル量を検出する動きベクトル検出手段と、該動きベクトル検出手段で検出したベクトル量が所望の値Ｖ以下であることを検出するベクトル量比較手段と、を有する第３の構成、
あるいは、記録内容中の音声信号の低周波領域を除去する低周波除去手段と、該低周波除去手段から出力される音声信号のレベルが所望のレベルＡｔｈ以上であることを検出する音声レベル比較手段と、を有する第４の構成、
の４つの前記構成のうちの、少なくとも１つ以上の前記構成、ないしは全部の前記構成からの出力情報により、映像信号あるいは音声信号の特徴の偏りを検出して番組の種類を判別するジャンル判別手段を備えてなることを特徴とする記録再生装置。
【請求項１４】
テレビジョン信号を記録媒体に記録し、また、テレビジョン信号を記録媒体から再生する記録再生装置において、
再生、または記録される記録内容中の特定部分を検出する特定部分検出手段と、
再生時に、該特定部分検出手段にて検出の特定部分を記録速度と同じ速度で通常再生する特定部分再生手段と、を備えてなることを特徴とする記録再生装置。
【請求項１５】
情報信号を記録媒体から再生する再生装置であって、
記録情報のうちの特定情報を所定の判定条件に基づき検出可能の特定情報検出手段と、
通常再生時よりも速い速度で記録情報を検索する高速検索手段と、
前記高速検索手段の作動中であって、前記特定情報検出手段において前記特定情報が検出されたときに、前記特定情報の頭出しをする特定情報頭出し手段と、
前記特定情報頭出し手段により頭出しされた位置から所定の記録区間にわたり、記録情報を通常再生する特定部分再生手段と、を備えてなることを特徴とする再生装置。
【請求項１６】
情報信号を記録媒体に記録する記録装置であって、
入力情報のうちの特定情報を所定の判定条件に基づき検出可能の入力情報検出手段と、
前記入力情報検出手段における検出結果に基づき、前記特定情報の、前記記録媒体における記録位置に関する情報を記憶する記録位置記憶手段と、を備えてなることを特徴とする記録装置。
【請求項１７】
情報信号を記録媒体に記録し、あるいは前記記録媒体から情報信号を再生する記録再生装置であって、
情報信号の記録時において、入力情報のうちの特定情報を所定の判定条件に基づき検出可能の入力情報検出手段と、
前記入力情報検出手段における検出結果に基づき、前記特定情報の、前記記録媒体における記録位置に関する情報を記憶する記録位置記憶手段と、
情報信号の再生時において、前記記録位置記憶手段における記憶情報に基づき、前記特定情報の記録部分を再生するハイライト再生手段と、を備えてなることを特徴とする記録再生装置。
【請求項１８】
特定情報を含む情報信号が記録されており、
前記特定情報の記録位置に関し、前記特定情報をハイライト再生するための記録位置情報が記録されてなることを特徴とする記録媒体。
【発明の詳細な説明】
【技術分野】
【０００１】
本発明は、例えばテレビジョン信号等の映像信号、あるいは音声信号を記録し、再生時に記録内容中の主要部分、すなわちハイライトシーンを再生する記録および／または再生装置およびこれに用いられる記録媒体に関する。
【背景技術】
【０００２】
記録した、例えばテレビジョン信号中の主要部分のみを再生する方法に関する従来技術としては、特許文献１に記載されているように、テレビジョン信号中の音声信号を解析することにより観客の歓声などを検出して記録動作を繰り返し、再生時にハイライトシーンのみの再生を可能とするシーン抽出処理方法がある。
【特許文献１】特開平３−８０７８２号公報
【発明の開示】
【発明が解決しようとする課題】
【０００３】
しかしながら、上記従来技術においては、歓声などを検出してから記録を開始するため、歓声が上がる前の情報が欠落しており、上記検出以前のシーンの視聴が不可能であり、記録内容を完全に把握することが困難であった。
【０００４】
本発明の目的は、かかる問題点を解決し、記録内容中の主要部分近傍を再生可能とし、記録内容の把握を確かなものとする、記録および／または再生装置およびこれに用いられる記録媒体を提供することにある。
【課題を解決するための手段】
【０００５】
上記目的を達成するために、本発明では、以下の構成とする。すなわち、
１）  テレビジョン信号を記録媒体から再生する記録再生装置において、記録速度を上回る早送り速度で記録方向と同じ方向に記録媒体を移動させる早送り手段と、該早送り手段による早送り中に再生される記録内容の主要部分を検出するハイライト検出手段と、該ハイライト検出手段における記録内容中の主要部分検出により記録速度を上回る巻戻し速度で記録方向と逆方向に記録媒体を移動させる巻戻し手段と、該巻戻し手段による巻戻し開始からｔ１時間分巻戻ったことにより記録速度と同じ通常速度で再生を開始するハイライト再生開始手段と、該ハイライト再生開始手段による通常再生の開始から所望の時間ｔが経過したことにより該早送り手段による早送りを再開するハイライト再生終了手段と、を備えてなる構成とする。
【０００６】
２）  また、テレビジョン信号を記録媒体から再生する記録再生装置において、再生される記録内容中の音声信号の低周波領域を除去する低周波除去手段と、該低周波除去手段から出力される音声信号レベルと所望のレベルＡｔｈとを比較する音声レベル比較手段と、該音声レベル比較手段にて低周波除去手段から出力される音声信号が所望のレベルＡｔｈ以上の場合に記録速度と同じ速度で通常再生する音楽部分再生手段と、該音声レベル比較手段にて低周波除去手段から出力される音声信号が所望のレベルＡｔｈ未満の場合に記録速度を上回る早送り速度で記録方向と同じ方向に記録媒体を移動させる音楽部分検索手段と、を備えてなる構成とする。
【０００７】
３）  また、テレビジョン信号を記録媒体に記録し、また、テレビジョン信号を記録媒体から再生する記録再生装置において、記録時に記録内容の主要部分を検出するハイライト検出手段と、該ハイライト検出手段にて検出される主要部分の記録媒体に対する位置Ｔｈからｔ１時間前の位置（Ｔｈ−ｔ１）を算出する位置算出手段と、該位置算出手段にて算出される位置（Ｔｈ−ｔ１）を記憶する位置記憶手段と、再生時に、該位置記憶手段にて記憶した位置（Ｔｈ−ｔ１）から所望の時間ｔの区間において記録速度と同じ速度で通常再生するハイライト再生手段と、該ハイライト再生手段にて通常再生する以外の区間において記録速度を上回る早送り速度で記録方向と同じ方向に記録媒体を移動するハイライト検索手段と、を備えてなる構成とする。
【０００８】
４）  また、テレビジョン信号を記録媒体に記録し、また、テレビジョン信号を記録媒体から再生する記録再生装置において、記録時に記録内容の主要部分を検出するハイライト検出手段と、該ハイライト検出手段にて検出される主要部分の記録媒体に対する位置Ｔｈを記憶する位置記憶手段と、再生時に、該位置記憶手段にて記憶した位置Ｔｈからｔ１時間前の位置（Ｔｈ−ｔ１）を算出する位置算出手段と、該位置算出手段にて算出した位置（Ｔｈ−ｔ１）から所望の時間ｔの区間において記録速度と同じ速度で通常再生するハイライト再生手段と、該ハイライト再生手段にて通常再生する以外の区間において記録速度を上回る早送り速度で記録方向と同じ方向に記録媒体を移動するハイライト検索手段と、を備えてなる構成とする。
【０００９】
５）  また、テレビジョン信号を記録媒体に記録し、また、テレビジョン信号を記録媒体から再生する記録再生装置において、記録時に、記録内容中の音声信号の低周波領域を除去する低周波除去手段と、該低周波除去手段から出力される音声信号レベルと所望のレベルＡｔｈとを比較する音声レベル比較手段と、該音声レベル比較手段にて低周波除去手段から出力される音声信号が所望のレベルＡｔｈ以上となる瞬間の位置Ａｓおよび未満となる瞬間の位置Ａｅを記憶する位置記憶手段と、再生時に、該位置記憶手段にて記憶した位置Ａｓから位置Ａｅの区間を記録速度と同じ速度で通常再生する音楽部分再生手段と、該位置記憶手段にて記憶した位置Ａｓから位置Ａｅ以外の区間を記録速度を上回る早送り速度で記録方向と同じ方向に記録媒体を移動する音楽部分検索手段と、を備えてなる構成とする。
【００１０】
６）  また、前記１）、３）または４）のいずれかにおいて、前記ハイライト検出手段は、映像信号中の画面中央付近の文字パターンを抽出するパターン抽出手段と、該パターン抽出手段にて抽出された文字と数字パターン情報との一致を検出する数文字検出手段と、を有してなる構成とする。
【００１１】
７）  また、前記１）、３）または４）のいずれかにおいて、前記ハイライト検出手段は、特定周波数の音声信号を抽出する音声抽出手段と、該音声抽出手段で抽出される特定周波数の音声信号のレベルが所望のレベルＢｔｈ以上であることを検出する音声レベル検出手段と、該音声レベル検出手段における所望レベルＢｔｈ以上の音声信号がＴｃ時間以上継続することを検出する時間計測手段と、を有してなる構成とする。
【００１２】
８）  また、前記１）、３）または４）のいずれかにおいて、前記ハイライト検出手段は、映像信号中の物体、または背景の動きベクトル量を検出する動きベクトル検出手段と、該動きベクトル検出手段で検出したベクトル量が所望の値Ｖ以下であることを検出するベクトル量比較手段と、を有してなる構成とする。
【００１３】
９）  また、前記３）、４）または５）のいずれかにおいて、前記位置記憶手段は、前記テレビジョン信号が記録再生される記録媒体を有してなる構成とする。
【００１４】
１０）  また、前記３）、４）または５）のいずれかにおいて、前記位置記憶手段は、半導体メモリを有してなる構成とする。
【００１５】
１１）  また、前記１）ないし５）のいずれかにおいて、テレビジョン信号中のコマーシャルメッセージ部分を判別するコマーシャル判別手段と、該コマーシャル判別手段によりコマーシャルメッセージ部分と判別される区間は前記ハイライト検出手段、または低周波除去手段の出力結果を無効とする検出禁止手段とを付加した構成とする。
【００１６】
１２）  また、前記７）において、前記時間計測手段にて検出されるレベルＢｔｈ以上でＴｃ時間以上継続する音声信号の検出時の音声レベルとその継続時間とを記憶する情報記憶手段と、該情報記憶手段にて記憶した音声レベルとその継続時間をｎ(ｎは整数)個の領域に区分する検出情報区分手段と、再生時に、該検出情報区分手段にてｎ個の領域に区分された検出情報の内ｍ(≦ｎ)個の領域を選択する再生区分選択手段と、該再生区分選択手段にて未選択の領域に属する前記時間計測手段におけるレベルＢｔｈ以上でＴｃ時間以上継続する音声信号の検出を無効とする再生禁止手段とを付加した構成とする。
【００１７】
１３）  また、テレビジョン信号を記録媒体に記録し、また、テレビジョン信号を記録媒体から再生する記録再生装置において、映像信号中の画面中央付近の文字パターンを抽出するパターン抽出手段と、該パターン抽出手段にて抽出された文字と数字パターン情報との一致を検出する数文字検出手段と、を有する第１の構成、あるいは、特定周波数の音声信号を抽出する音声抽出手段と、該音声抽出手段で抽出される特定周波数の音声信号のレベルが所望のレベルＢｔｈ以上であることを検出する音声レベル検出手段と、該音声レベル検出手段における所望レベルＢｔｈ以上の音声信号がＴｃ時間以上継続することを検出する時間計測手段と、を有する第２の構成、あるいは、映像信号中の物体、または背景の動きベクトル量を検出する動きベクトル検出手段と、該動きベクトル検出手段で検出したベクトル量が所望の値Ｖ以下であることを検出するベクトル量比較手段と、を有する第３の構成、あるいは、記録内容中の音声信号の低周波領域を除去する低周波除去手段と、該低周波除去手段から出力される音声信号のレベルが所望のレベルＡｔｈ以上であることを検出する音声レベル比較手段と、を有する第４の構成、の４つの前記構成のうちの、少なくとも１つ以上の前記構成、ないしは全部の前記構成からの出力情報により、映像信号あるいは音声信号の特徴の偏りを検出して番組の種類を判別するジャンル判別手段を備えてなる構成とする。
【００１８】
１４）  また、テレビジョン信号を記録媒体に記録し、また、テレビジョン信号を記録媒体から再生する記録再生装置において、再生、または記録される記録内容中の特定部分を検出する特定部分検出手段と、再生時に、該特定部分検出手段にて検出の特定部分を記録速度と同じ速度で通常再生する特定部分再生手段と、を備えてなる構成とする。
【００１９】
１５）  また、情報信号を記録媒体から再生する再生装置であって、記録情報のうちの特定情報を所定の判定条件に基づき検出可能の特定情報検出手段と、通常再生時よりも速い速度で記録情報を検索する高速検索手段と、前記高速検索手段の作動中であって、前記特定情報検出手段において前記特定情報が検出されたときに、前記特定情報の頭出しをする特定情報頭出し手段と、前記特定情報頭出し手段により頭出しされた位置から所定の記録区間にわたり、記録情報を通常再生する特定部分再生手段と、を備えてなる構成とする。
【００２０】
１６）  また、情報信号を記録媒体に記録する記録装置であって、入力情報のうちの特定情報を所定の判定条件に基づき検出可能の入力情報検出手段と、前記入力情報検出手段における検出結果に基づき、前記特定情報の、前記記録媒体における記録位置に関する情報を記憶する記録位置記憶手段と、を備えてなる構成とする。
【００２１】
１７）  また、情報信号を記録媒体に記録し、あるいは前記記録媒体から情報信号を再生する記録再生装置であって、情報信号の記録時において、入力情報のうちの特定情報を所定の判定条件に基づき検出可能の入力情報検出手段と、前記入力情報検出手段における検出結果に基づき、前記特定情報の、前記記録媒体における記録位置に関する情報を記憶する記録位置記憶手段と、情報信号の再生時において、前記記録位置記憶手段における記憶情報に基づき、前記特定情報の記録部分を再生するハイライト再生手段と、を備えてなる構成とする。
【００２２】
１８）  特定情報を含む情報信号が記録されており、前記特定情報の記録位置に関し、前記特定情報をハイライト再生するための記録位置情報が記録されてなる記録媒体の構成とする。
【００２３】
上記の各構成により、再生される映像信号、または音声信号の特徴から記録内容中の主要部分(ハイライトシーン)が検出可能となり、検出位置近傍の所定区間を選択的に再生することにより、記録内容を短時間に把握することが可能となる。
【発明の効果】
【００２４】
以上の様に、本発明によれば、再生される映像信号、または音声信号の特徴から記録内容中の主要部分(ハイライトシーン)が検出可能であり、検出位置近傍の所定区間を選択的に再生することにより、記録内容を短時間に把握することが可能の記録および／または再生装置およびこれに用いられる記録媒体を実現することが出来る。
【発明を実施するための最良の形態】
【００２５】
本発明の一実施例を図１のブロック図により説明する。図１において、１０は磁気テープ、１１はキャプスタン、１２はピンチローラ、１３ａ、１３ｂは記録再生用の磁気ヘッド、１４はシリンダ、１５は磁気ヘッド１３ａ、１３ｂの切換スイッチ、１６はコントロール信号読み書き用の磁気ヘッド、１７は磁気テープ駆動モータ、１８はテープ駆動回路、２０はコントロール信号読み書き回路、３０はアンテナ、３１は受信回路、３２は映像・音声処理回路、３３はハイライト検出回路、４０はマイクロコンピュータ(以下、マイコン)、４１はキー入力装置、５０はメッセージ付加回路、５１はモニターである。キー入力装置４１は、記録、再生、早送り、巻戻しなどを要求(指示)するためのキー入力スイッチを備える。
【００２６】
先ず、本発明に係る映像記録再生装置の磁気テープ１０の走行系の動作について説明する。テープ駆動回路１８によりモータ１７の回転数が一定に制御される。モータ１７の回転数はマイコン４０から得られる通常走行や早送り走行などの走行モードにより切り替えられる。上記テープ駆動回路１８により制御されたモータ１７の駆動力が、ピンチローラ１２に対向して配置されたキャプスタン１１、或いはテープを巻き取る側のリールに伝達され、磁気テープ１０の定速走行を得る。
【００２７】
一方、コントロール信号読み書き回路２０では、記録時は、磁気テープ１０への書込位置と磁気ヘッド１３ａ、１３ｂとの同期信号となる１／３０秒周期のコントロール信号を生成する。コントロール信号読み書き回路２０にて生成されたコントロール信号はヘッド１６を介し磁気テープ１０に記録される。また、コントロール信号読み書き回路２０では、再生時は、磁気テープ１０よりヘッド１６を介して上記コントロール信号を再生する。マイコン４０において、コントロール信号読み書き回路２０より得られるコントロール信号をクロックとしてカウンタを動作させることにより、記録、または再生などにおける磁気テープ１０の走行位置を認識する（以下、コントロール信号によるカウンタ値を位置認識情報という）。
【００２８】
次に、テレビジョン信号を磁気テープ１０に記録する場合の動作について説明する。テレビジョン信号の電波は、アンテナ３０に入力され、受信回路３１に供給される。受信回路３１では、アンテナ３０より供給されたテレビジョン信号より希望のチャネルが選局される。受信回路３１により選局されたテレビジョン信号は、映像・音声処理回路３２にて処理され、映像信号と音声信号として出力される。映像・音声処理回路３２にて処理されたテレビジョン信号はスイッチ１５、磁気ヘッド１３ａ、１３ｂを介してシリンダ１４に巻回された磁気テープ１０に記録される。
【００２９】
次に、磁気テープ１０に記録したテレビジョン信号を再生する場合の動作について説明する。回転シリンダ１４上に取り付けられた磁気ヘッド１３ａ、１３ｂにより、磁気テープ１０上に記録されたテレビジョン信号を再生する。このとき、スイッチ１５により磁気テープ１０に接している側の磁気ヘッド１３ａ、１３ｂが選択されることにより時間的に連続した再生信号を得る。磁気ヘッド１３ａ、１３ｂ、スイッチ１５を介して得られる再生信号は、映像・音声処理回路３２により処理され、メッセージ付加回路５０を介してモニター５１に供給されることにより視聴可能となる。
【００３０】
一方、映像・音声処理回路３２において処理された映像信号と音声信号は、ハイライト検出回路３３に供給される。ハイライト検出回路３３では、例えば図２、図３、図４の構成により記録番組中の主要部分を検出する。
【００３１】
次に、図１におけるハイライト検出回路３３の一構成例を図２のブロック図を用いて説明する。図２において、Ｔ１は入力端子、６０はパターン抽出回路、６１はパターン比較回路、６２は数値パターン・データ、Ｐ１は入力端子Ｔ１から入力される映像信号、Ｐ２はパターン抽出回路６０にて抽出された映像信号、Ｔ２は出力端子である。
【００３２】
映像・音声処理回路３２により出力される映像信号Ｐ１が入力端子Ｔ１を介してパターン抽出回路６０に入力される。パターン抽出回路６０では、入力される映像信号Ｐ１の画面中央付近に表示される文字情報を抽出する。パターン抽出回路６０にて抽出された映像信号(文字情報)Ｐ２がパターン比較回路６１に入力される。パターン比較回路６１では、パターン抽出回路６０より入力される映像信号Ｐ２と数値パターン・データ６２からの数値パターン情報とを比較する。パターン比較回路６１での比較一致により画面中央付近に現れる数文字を検出、これによりスポーツ番組における得点シーンを検出する。パターン比較回路６１における得点シーンの検出信号は出力端子Ｔ２を介してマイコン４０に入力される。
【００３３】
次に、図１におけるハイライト検出回路３３の他の構成例を図３のブロック図を用いて説明する。図３において、Ｔ３は入力端子、７０は音声レベル検出回路、７１はレベル比較回路、７２は時間計測用タイマー、Ｔ４は出力端子である。
【００３４】
映像・音声処理回路３２より出力される音声信号が入力端子Ｔ３を介して音声レベル検出回路７０に入力される。音声レベル検出回路７０では、入力される音声信号中の特定周波数領域(人間の声と同じ周波数領域)の音声レベルを検出し、レベル比較回路７１に供給する。レベル比較回路７１では、音声レベル検出回路７０より入力される音声レベルが所望のレベルＢｔｈ以上である状態の継続時間を時間計測用タイマー７２により計測する。レベル比較回路７１において、特定周波数領域の音声レベルが所望のレベルＢｔｈ以上である状態が例えば５秒以上継続する場合、これをスポーツ番組などの観客の歓声として検出する。レベル比較回路７１における歓声の検出信号は出力端子Ｔ４を介してマイコン４０に入力される。
【００３５】
次に、図１におけるハイライト検出回路３３の他の構成例を図４のブロック図を用いて説明する。図４において、Ｔ５は入力端子、８０は動きベクトル検出回路、８１はベクトル比較回路、Ｔ６は出力端子である。
【００３６】
映像・音声処理回路３２より出力される映像信号が入力端子Ｔ５を介して動きベクトル検出回路８０に入力される。動きベクトル検出回路８０では、入力される映像信号中の物体、または背景の動きベクトル量が検出され、ベクトル比較回路８１に出力される。ベクトル比較回路８１では、動きベクトル検出回路８０にて検出された動きベクトル量と所望のベクトル値Ｖとを比較して、所望の値Ｖ以下のベクトル量を検出する。これにより、レース番組中のクラッシュなどのトラブルシーンを検出する。ベクトル比較回路８１におけるトラブルシーンの検出信号は出力端子Ｔ６を介してマイコン４０に入力される。
【００３７】
次に、マイコン４０によるハイライト部分の再生動作を図５の波形図により説明する。
【００３８】
キー入力装置４１より入力されるハイライトシーン再生要求によりマイコン４０から早送り再生の指令をテープ駆動回路１８に送り早送り再生を開始する。ハイライトシーン再生要求による早送り再生中、ハイライト検出回路３３により得点シーン、または歓声などが検出され、マイコン４０に供給される。マイコン４０では、ハイライト検出回路３３からの検出信号により巻き戻し再生の指令をテープ駆動回路１８へ送り巻き戻し再生を開始する。この巻き戻し再生の開始から、例えば３０秒分の移動により通常再生の指令をテープ駆動回路１８へ送り通常再生へ移行する。その後、ハイライト検出回路３３のハイライト検出位置から例えば１０秒分経過したことにより早送り再生の指令をテープ駆動回路１８に送り早送り再生を再開する。これにより、ハイライト検出回路３３によるハイライトシーンの検出位置を基準として、前３０秒、後１０秒の区間を通常再生し、それ以外の区間を早送り再生することになる。
【００３９】
以上の動作を繰り返すことにより、番組内容中の主要部分のみを再生し、それ以外の部分を早送りすることが可能となり、番組の内容を短時間で把握することが可能となる。
【００４０】
次に、本発明の他の実施例を図６のブロック図により説明する。図６において、３４は音声低周波除去回路である。但し、図１のブロック図と同番号で示されるブロックの動作は上記説明の通りである。
【００４１】
再生時、映像・音声処理回路３２において処理された音声信号が音声低周波除去回路３４に入力される。音声低周波除去回路３４では、映像・音声処理回路３２より入力される音声信号中の低周波領域(人間の声が含まれる周波数領域)を除去し、マイコン４０に供給する。マイコン４０では、図７に示すように、音声低周波除去回路３４より入力される低周波領域が除去された音声信号のレベルが所望のレベルＡｔｈ(音楽判定閾値)以上の区間ではテープ駆動回路１８に通常再生の指令を送り、所望のレベルＡｔｈ未満の区間ではテープ駆動回路１８に早送り再生の指令を送る。これにより、音声低周波除去回路３４にて低周波領域を除去された音声信号のレベルが所望レベルＡｔｈ以上の区間を通常再生し、所望レベルＡｔｈ未満の区間を早送り再生する。以上により、音楽番組中の音楽演奏部分(曲間)のみを再生可能とする。
【００４２】
次に、本発明の他の実施例を図８のブロック図により説明する。図８において、３５はハイライト位置読み書き回路である。但し、図１のブロック図と同番号で示されるブロックの動作は上記説明の通りである。
【００４３】
記録時、映像・音声処理回路３２にて処理された映像信号、及び音声信号がハイライト検出回路３３に入力される。ハイライト検出回路３３では、入力される映像信号、または音声信号の特徴から得点シーン、歓声などを検出し、マイコン４０に供給する。マイコン４０では、ハイライト検出回路３３におけるハイライト検出の記録媒体に対する位置、例えば上記したコントロール読み書き回路２０で生成されるコントロール信号によるカウント値である位置認識情報を記憶する。
【００４４】
記録終了時に、マイコン４０にて記憶したハイライト検出回路３３のハイライト検出位置付近に移動して、図９に示されるように、例えばハイライト検出位置を基準に前３０秒、後１０秒の位置に開始信号、及び終了信号の書込を実施する。ここで、開始信号、及び終了信号は、例えばハイライト位置読み書き回路３５によりコントロール信号読み書き回路２０を制御し、デューティ比を変更したコントロール信号を書き込むことにより得られる。
【００４５】
再生時、ヘッド１６を介してコントロール信号読み書き回路２０よりコントロール信号が読み出される。コントロール信号読み書き回路２０より読み出されたコントロール信号はハイライト位置読み書き回路３５に供給される。ハイライト位置読み書き回路３５では、コントロール信号読み書き回路２０より供給されるコントロール信号の通常とデューティ比が異なる開始信号、または終了信号が随時検出され、マイコン４０に供給される。
【００４６】
一方、マイコン４０では、キー入力装置４１より入力されるハイライトシーン再生要求によりテープ駆動回路１８へ早送り再生の指令を送り、早送り再生を開始する。ハイライトシーン再生要求による早送り再生中にハイライト位置読み書き回路３５より開始信号が供給されることにより、テープ駆動回路１８へ通常再生の指令を送り、ハイライト部分の再生を開始する。また、ハイライト位置読み書き回路３５より終了信号が供給されることにより、テープ駆動回路１８へ早送り再生の指令を送り、早送り再生を再開する。
【００４７】
以上により、磁気テープ１０に記録された番組内容中の主要部分のみを再生し、それ以外の部分を早送りすることが可能となり、番組の内容を短時間で把握することが可能となる。
【００４８】
また、上記実施例において、ハイライト部分の開始信号の書き込み時に、図１０に示す様に、ハイライト検出回路３３のハイライト検出時の状態(音声レベル、継続時間など)により開始信号Ａ、開始信号Ｂなどに区分けして書き込み、再生時に、これを選択(図１０ではＢを選択)して再生することにより、ハイライト検出の条件設定の切替を可能とする。
【００４９】
また、上記は、図１の実施例にハイライト位置読み書き回路３５を付加したことにより番組内容中の主要部分のみの再生を実現したが、同様にハイライト位置読み書き回路３５を図６の実施例に付加することにより、音楽演奏部分のみの再生を実現可能である。
【００５０】
次に、本発明の他の実施例を図１１のブロック図により説明する。図１１において、３６はテープ位置情報読み書き回路、４２は記憶回路である。但し、図１のブロック図と同番号で示されるブロックの動作は上記説明の通りである。
【００５１】
記録時、テープ位置情報読み書き回路３６では、磁気テープ１０の位置情報となるタイムコードなどの絶対番地情報（前記したコントロール信号によるカウンタ値である位置認識情報でも可）、及び磁気テープ１０の認識番号が生成される。テープ位置情報読み書き回路３６にて生成された絶対番地情報、及びテープ認識番号は、例えば映像信号のブランキング部分などにコード化され磁気テープ１０に書き込まれる。
【００５２】
一方、映像・音声処理回路３２にて処理された映像信号、及び音声信号がハイライト検出回路３３に入力される。ハイライト検出回路３３では、入力される映像信号、または音声信号の特徴から得点シーン、歓声などを検出し、マイコン４０に供給する。マイコン４０では、図９に示される様なハイライト検出回路３３のハイライト検出位置を基準に前３０秒の開始信号、後１０秒の終了信号の位置に相当する上記絶対番地情報をそれぞれ算出し、記憶回路４２に記憶する。また、同時にテープ位置情報読み書き回路３６にて生成されるテープ認識番号も記憶する。
【００５３】
再生時は、テープ位置情報読み書き回路３６により、磁気ヘッド１３ａ、１３ｂ、スイッチ１５を介して再生される映像信号にコード化された絶対番地情報、及びテープ認識番号が読み出される。テープ位置情報読み書き回路３６により読み出された絶対番地情報、及びテープ認識番号は、逐次マイコン４０に供給される。マイコン４０では、テープ位置情報読み書き回路３６より供給されるテープ認識番号に関連する記憶回路４２に記憶したハイライトシーンの開始位置、及び終了位置が読み出さる。マイコン４０では、記憶回路４２から読み出されたハイライトシーンの開始位置情報と、テープ位置情報読み書き回路３６からの絶対番地情報とが一致した場合、テープ駆動回路１８へ通常再生の指令を送り、通常再生を開始する。また、記憶回路４２から読み出されたハイライトシーンの終了位置情報と、テープ位置情報読み書き回路３６からの絶対番地情報とが一致した場合、テープ駆動回路１８へ早送り再生の指令を送り、早送り再生を開始する。
【００５４】
以上により、磁気テープ１０に記録された番組内容中の主要部分のみを再生し、それ以外の部分を早送りすることが可能となり、番組の内容を短時間で把握することが可能となる。
【００５５】
ところで、上記においては、ハイライトシーンの開始位置、及び終了位置に相当する上記の絶対番地情報を記憶回路４２に記憶していたが、ハイライト検出位置に相当する上記絶対番地情報を記憶して、記憶回路４２の記憶容量を節約することも出来る。この場合、マイコン４０では、記憶回路４２から読み出されるハイライト検出位置情報から開始位置、及び終了位置を算出して上記動作に対応する。これにより、記憶回路４２の記憶容量を節約し、かつ上記同様の動作を実現することが出来る。
【００５６】
また、上記は、図１の実施例にテープ位置読み書き回路３６、及び記憶回路４２を付加したことによりハイライト部分のみの再生を実現したが、同様にテープ位置読み書き回路３６、及び記憶回路４２を図６の実施例に付加することにより、音楽演奏部分のみの再生を実現可能である。
【００５７】
次に、本発明の他の実施例を図１２のブロック図により説明する。図１２において、３７はコマーシャル判別回路である。但し、図８のブロック図と同番号で示されるブロックの動作は上記説明の通りである。
【００５８】
記録時、映像・音声処理回路３２より出力される映像信号、音声信号がハイライト検出回路３３、及びコマーシャル判別回路３７に入力される。コマーシャル判別回路３７では、映像・音声処理回路３２から入力される映像信号、または音声信号の特徴から番組中のコマーシャルメッセージ(以下、ＣＭ)部分を判別し、その結果をマイコン４０に供給する。マイコン４０では、コマーシャル判別回路３７によるＣＭ判別部分の記録媒体に対する位置を記憶する。
【００５９】
一方、ハイライトシーン検出回路３３では、映像・音声処理回路３２から入力される映像信号、または音声信号の特徴から番組中のハイライトシーンを検出し、マイコン４０に供給する。マイコン４０では、ハイライト検出回路３３によるハイライト検出部分の記録媒体に対する位置を記憶する。
【００６０】
記録終了時、マイコン４０にて記憶されたハイライト検出位置へ移動し、前記同様に、ハイライト検出位置を基準に、例えば前３０秒、後１０秒の位置に開始信号、及び終了信号の書込を実施する。但し、図１３に示すように、ここでコマーシャル判別回路３７にてＣＭ部分と判別された区間におけるハイライト検出(ｂ点)は無効とし、その開始信号、及び終了信号の書き込みを禁止する。また、上記ＣＭ部分と判別された区間直前でハイライト検出(ａ点)し、その終了位置がＣＭ部分に重なる場合は、その終了位置をＣＭ部分の開始位置へ移動する。また、上記ＣＭ部分と判別された区間直後でハイライト検出(ｃ点)し、その開始位置がＣＭ部分に重なる場合は、その開始位置をＣＭ部分の終了位置へ移動する。
【００６１】
以上により、ＣＭ部分をハイライトシーンとして再生することを防止する。
【００６２】
また、上記は図８の実施例にコマーシャル判別回路３７を付加したことによりＣＭ部分のハイライト再生の防止を実現したが、図１、図１０の実施例にコマーシャル判別回路３７を付加した場合にも同様の効果を得る。
【００６３】
また、図６の実施例に上記コマーシャル判別回路３７を付加することにより、同様にしてＣＭ部分を音楽演奏部分として再生することを防止可能である。
【００６４】
また、上述したスポーツ番組中の得点シーンや歓声、音楽番組の音楽演奏部分、レース番組のアクシデントシーンなどの検出手段を組み合わせて映像信号や音声信号の特徴の偏りを調べることにより番組の種類(ジャンル)の判別も可能である。
【００６５】
以上、記録媒体として磁気テープを使用した映像記録再生装置の実施形態を説明したが、記録媒体は限定されるものではなく、あらゆる記録媒体、例えば、光あるいは磁気あるは光磁気方式のディスク、各種の半導体メモリと組み合わせ可能である。
【００６６】
すなわち、磁気ディスクや光磁気ディスクなどの記録媒体を使用した映像記録再生装置で実施することも可能である。この場合は、前述した「早送り」は、磁気ディスクの読み取り位置をスキップさせることで実現することになるため、磁気ディスクの回転速度を変えずに、ヘッドを移動させながら、再生トラックを変えるような動作を含めた意味となる。また、「巻戻し」は、磁気ディスクの回転方向を変えることではなく、磁気ディスクの回転方向はそのままにして再生トラックを逆戻りすることの意味となる。
【００６７】
また、半導体メモリを記録媒体として使用した情報記録装置で本発明を実施する場合には、テープ装置でいう「早送り」や「巻戻し」の機能は、そのままは当てはまらなくなることもあるが、半導体メモリにおけるアドレス検索方法の中で、正／逆の両方向への、例えば１番地飛ばし、２番地飛ばし、３番地飛ばし、等の再生方法などで対応することもできる。
【００６８】
また、以上の実施例では、記録される信号としてテレビジョン信号をその対象としたが、記録信号としてもこのテレビジョン信号に限定されるものではなく、コンピュータからディスプレイに表示される映像信号などを含み、画面に表示されるすべての信号が本発明の対象である。
【００６９】
さらには、以上の実施例では、記録信号がテレビジョン信号としての番組であることから、番組の開始位置から終了位置に向かって記録内容の進行にその方向性があるので、前記のような「早送り」、「巻戻し」等の方向性を認識した検索を実施しているが、特に方向性のない内容が記録されているような場合には、前記の「早送り」、「巻戻し」はそれぞれ、単に互いに相反する「一方向」、「他方向」への検索と考えて本発明を適用することが可能である。
【図面の簡単な説明】
【００７０】
【図１】本発明による映像記録再生装置の一実施例を示すブロック図である。
【図２】本発明によるハイライト検出回路３３の一構成例を示すブロック図である。
【図３】本発明によるハイライト検出回路３３の他の構成例を示すブロック図である。
【図４】本発明によるハイライト検出回路３３の他の構成例を示すブロック図である。
【図５】本発明によるハイライト部分の再生動作を示す波形図である。
【図６】本発明による映像記録再生装置の他の実施例を示すブロック図である。
【図７】本発明による音楽演奏部分の再生動作を示す波形図である。
【図８】本発明による映像記録再生装置の他の実施例を示すブロック図である。
【図９】本発明によるハイライト部分の再生動作を示す波形図である。
【図１０】本発明によるハイライト部分の選択再生時の動作を示す波形図である。
【図１１】本発明による映像記録再生装置の他の実施例を示すブロック図である。
【図１２】本発明による映像記録再生装置の他の実施例を示すブロック図である。
【図１３】本発明によるハイライト部分の再生動作を示す波形図である。
【符号の説明】
【００７１】
１８…テープ駆動回路、２０…コントロール信号読み書き回路、３０…アンテナ、３１…受信回路、３２…映像・音声処理回路、３３…ハイライト検出回路、４０…マイクロコンピュータ、４１…キー入力装置。
【図１】
2007004973.tif 000003
【図２】
2007004973.tif 000004
【図３】
2007004973.tif 000005
【図４】
2007004973.tif 000006
【図５】
2007004973.tif 000007
【図６】
2007004973.tif 000008
【図７】
2007004973.tif 000009
【図８】
2007004973.tif 000010
【図９】
2007004973.tif 000011
【図１０】
2007004973.tif 000012
【図１１】
2007004973.tif 000013
【図１２】
2007004973.tif 000014
【図１３】
2007004973.tif 000015
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
映像および音声情報をディスク型記録媒体に記録および再生する記録再生装置において、
前記映像および音声信号を前記記録媒体に記録する記録手段と、
前記記録時に前記映像および音声情報におけるコマーシャルメッセージの位置を検出するコマーシャルメッセージ検出手段と、
前記記録時に前記映像および音声情報における番組のハイライトの位置を検出するハイライト検出手段と、
情報を記憶するメモリ手段と、
ハイライトシーンを再生するハイライトシーン再生手段とを有し、
前記映像及び音声信号を記録時には、
前記記録手段にて前記映像及び音声信号を前記記録媒体に記録するとともに、
前記コマーシャルメッセージ検出手段が検出するコマーシャルメッセージの位置情報と、前記ハイライト検出手段が検出するハイライトの位置情報または前記ハイライト検出手段の検出位置を基準として算出するハイライトシーンの位置情報をメモリ手段に記憶し、
ハイライトシーンの再生時には、
ハイライトシーン再生手段が、前記メモリ手段に記憶された前記位置情報に基づき、前記コマーシャルメッセージと前記ハイライトシーンが重なる部分がある場合は、ハイライトシーンの部分の区間から前記重なった部分の区間を除いてハイライトシーンとし、前記ハイライトシーン以外はスキップしてハイライトシーンを再生することを特徴とする記録再生装置。
【請求項２】
映像および音声情報をディスク型記録媒体に記録および再生する記録再生装置において、
前記映像および音声信号を前記記録媒体に記録する記録手段と、
前記記録時に前記映像および音声情報におけるコマーシャルメッセージの位置を検出するコマーシャルメッセージ検出手段と、
前記記録時に前記映像および音声情報における番組のハイライトの位置を検出するハイライト検出手段と、
情報を記憶するメモリ手段と、
ハイライトシーンを再生するハイライトシーン再生手段とを有し、
前記映像及び音声信号を記録時には、
前記記録手段にて前記映像及び音声信号を前記記録媒体に記録するとともに、
前記コマーシャルメッセージ検出手段が検出するコマーシャルメッセージの位置情報と、前記ハイライト検出手段が検出するハイライトの位置情報または前記ハイライト検出手段の検出位置を基準として算出するハイライトシーンの位置情報をメモリ手段に記憶し、
ハイライトシーンの再生時には、
ハイライトシーン再生手段が、前記メモリ手段に記憶された前記位置情報に基づき、前記コマーシャルメッセージ部分と判別された区間に前記ハイライトシーンの終了位置がある場合は、前記コマーシャルメッセージ部分の開始位置をハイライトシーンの終了位置として、前記ハイライトシーン以外はスキップしてハイライトシーンを再生することを特徴とする記録再生装置。
【請求項３】
映像および音声情報をディスク型記録媒体に記録および再生する記録再生装置において、
前記映像および音声信号を前記記録媒体に記録する記録手段と、
前記記録時に前記映像および音声情報におけるコマーシャルメッセージの位置を検出するコマーシャルメッセージ検出手段と、
前記記録時に前記映像および音声情報における番組のハイライトの位置を検出するハイライト検出手段と、
情報を記憶するメモリ手段と、
ハイライトシーンを再生するハイライトシーン再生手段とを有し、
前記映像及び音声信号を記録時には、
前記記録手段にて前記映像及び音声信号を前記記録媒体に記録するとともに、
前記コマーシャルメッセージ検出手段が検出するコマーシャルメッセージの位置情報と、前記ハイライト検出手段が検出するハイライトの位置情報または前記ハイライト検出手段の検出位置を基準として算出するハイライトシーンの位置情報をメモリ手段に記憶し、
ハイライトシーンの再生時には、
ハイライトシーン再生手段が、前記メモリ手段に記憶された前記位置情報に基づき、前記コマーシャルメッセージ部分の終了位置をハイライトシーンの開始位置として、前記ハイライトシーン以外はスキップしてハイライトシーンを再生することを特徴とする記録再生装置。
【請求項４】
前記ハイライト検出手段は、複数のレベルで検出し、
前記メモリ手段は、前記複数のレベル情報を含めて記憶し、
前記ハイライトシーン再生手段は、前記複数のレベルから選択して再生できることを特徴とする請求項１ないし３いずれか一つに記載の記録再生装置。
【請求項５】
請求項１ないし４のいずれか一つに記載の記録再生装置において、前記ディスク型記録媒体を半導体記憶媒体に置き換えた記録再生装置。
【請求項６】
映像および音声情報を記録媒体に記録および再生する記録再生方法において、
前記映像および音声信号を記録媒体に記録し、
前記記録時に前記映像および音声情報からコマーシャルメッセージを検出し、
前記記録時に前記映像および音声情報から番組のハイライトを検出し、
前記検出されたコマーシャルメッセージの位置情報と、前記検出されたハイライトの位置情報または前記ハイライト検出手段の検出位置を基準として算出するハイライトシーンの位置情報をメモリ手段に記憶し、
再生時に前記メモリ手段に記憶された前記位置情報に基づき、コマーシャルメッセージとハイライトシーンが重なる部分がある場合は、ハイライトシーンの部分の区間から前記重なったコマーシャルメッセージ部分の区間を除いてハイライトシーンとし、前記ハイライトシーン以外はスキップして前記ハイライトシーンを再生することを特徴とする記録再生方法。
【手続補正３】
【補正対象書類名】明細書
【補正対象項目名】０００１
【補正方法】変更
【補正の内容】
【０００１】
本発明は、例えばテレビジョン信号等の映像信号、あるいは音声信号を記録し、再生時に記録内容中の主要部分、すなわちハイライトシーンを再生する記録再生装置および記録再生方法に関する。
【手続補正４】
【補正対象書類名】明細書
【補正対象項目名】０００４
【補正方法】変更
【補正の内容】
【０００４】
本発明の目的は、かかる問題点を解決し、記録内容中の主要部分を再生可能とし、記録内容の把握を確かなものとする、記録再生装置および記録再生方法を提供することにある。
【手続補正５】
【補正対象書類名】明細書
【補正対象項目名】０００５
【補正方法】変更
【補正の内容】
【０００５】
上記目的を達成するために、本発明では、以下の構成とする。すなわち、
【手続補正６】
【補正対象書類名】明細書
【補正対象項目名】０００６
【補正方法】変更
【補正の内容】
【０００６】
１）  映像および音声情報をディスク型記録媒体に記録および再生する記録再生装置において、前記映像および音声信号を前記記録媒体に記録する記録手段と、前記記録時に前記映像および音声情報におけるコマーシャルメッセージの位置を検出するコマーシャルメッセージ検出手段と、前記記録時に前記映像および音声情報における番組のハイライトの位置を検出するハイライト検出手段と、情報を記憶するメモリ手段と、ハイライトシーンを再生するハイライトシーン再生手段とを有し、前記映像及び音声信号を記録時には、前記記録手段にて前記映像及び音声信号を前記記録媒体に記録するとともに、前記コマーシャルメッセージ検出手段が検出するコマーシャルメッセージの位置情報と、前記ハイライト検出手段が検出するハイライトの位置情報または前記ハイライト検出手段の検出位置を基準として算出するハイライトシーンの位置情報をメモリ手段に記憶し、ハイライトシーンの再生時には、ハイライトシーン再生手段が、前記メモリ手段に記憶された前記位置情報に基づき、前記コマーシャルメッセージと前記ハイライトシーンが重なる部分がある場合は、ハイライトシーンの部分の区間から前記重なった部分の区間を除いてハイライトシーンとし、前記ハイライトシーン以外はスキップしてハイライトシーンを再生する記録再生装置の構成とする。
【手続補正７】
【補正対象書類名】明細書
【補正対象項目名】０００７
【補正方法】変更
【補正の内容】
【０００７】
２）  また、映像および音声情報をディスク型記録媒体に記録および再生する記録再生装置において、前記映像および音声信号を前記記録媒体に記録する記録手段と、前記記録時に前記映像および音声情報におけるコマーシャルメッセージの位置を検出するコマーシャルメッセージ検出手段と、前記記録時に前記映像および音声情報における番組のハイライトの位置を検出するハイライト検出手段と、情報を記憶するメモリ手段と、ハイライトシーンを再生するハイライトシーン再生手段とを有し、前記映像及び音声信号を記録時には、前記記録手段にて前記映像及び音声信号を前記記録媒体に記録するとともに、前記コマーシャルメッセージ検出手段が検出するコマーシャルメッセージの位置情報と、前記ハイライト検出手段が検出するハイライトの位置情報または前記ハイライト検出手段の検出位置を基準として算出するハイライトシーンの位置情報をメモリ手段に記憶し、ハイライトシーンの再生時には、ハイライトシーン再生手段が、前記メモリ手段に記憶された前記位置情報に基づき、前記コマーシャルメッセージ部分と判別された区間に前記ハイライトシーンの終了位置がある場合は、前記コマーシャルメッセージ部分の開始位置をハイライトシーンの終了位置として、前記ハイライトシーン以外はスキップしてハイライトシーンを再生する記録再生装置の構成とする。
【手続補正８】
【補正対象書類名】明細書
【補正対象項目名】０００８
【補正方法】変更
【補正の内容】
【０００８】
３）  また、映像および音声情報をディスク型記録媒体に記録および再生する記録再生装置において、前記映像および音声信号を前記記録媒体に記録する記録手段と、前記記録時に前記映像および音声情報におけるコマーシャルメッセージの位置を検出するコマーシャルメッセージ検出手段と、前記記録時に前記映像および音声情報における番組のハイライトの位置を検出するハイライト検出手段と、情報を記憶するメモリ手段と、ハイライトシーンを再生するハイライトシーン再生手段とを有し、前記映像及び音声信号を記録時には、前記記録手段にて前記映像及び音声信号を前記記録媒体に記録するとともに、前記コマーシャルメッセージ検出手段が検出するコマーシャルメッセージの位置情報と、前記ハイライト検出手段が検出するハイライトの位置情報または前記ハイライト検出手段の検出位置を基準として算出するハイライトシーンの位置情報をメモリ手段に記憶し、ハイライトシーンの再生時には、ハイライトシーン再生手段が、前記メモリ手段に記憶された前記位置情報に基づき、前記コマーシャルメッセージ部分の終了位置をハイライトシーンの開始位置として、前記ハイライトシーン以外はスキップしてハイライトシーンを再生する記録再生装置の構成とする。
【手続補正９】
【補正対象書類名】明細書
【補正対象項目名】０００９
【補正方法】変更
【補正の内容】
【０００９】
４）  さらには上記記録再生装置において、前記ハイライト検出手段は、複数のレベルで検出し、前記メモリ手段は、前記複数のレベル情報を含めて記憶し、前記ハイライトシーン再生手段は、前記複数のレベルから選択して再生できる構成とする。
【手続補正１０】
【補正対象書類名】明細書
【補正対象項目名】００１０
【補正方法】変更
【補正の内容】
【００１０】
５）  前記１）ないし４）のいずれかにおいて、前記ディスク型記録媒体を半導体記憶媒体に置き換えた構成とする。
【手続補正１１】
【補正対象書類名】明細書
【補正対象項目名】００１１
【補正方法】変更
【補正の内容】
【００１１】
６）  また、映像および音声情報を記録媒体に記録および再生する記録再生方法において、前記映像および音声信号を記録媒体に記録し、前記記録時に前記映像および音声情報からコマーシャルメッセージを検出し、前記記録時に前記映像および音声情報から番組のハイライトを検出し、前記検出されたコマーシャルメッセージの位置情報と、前記検出されたハイライトの位置情報または前記ハイライト検出手段の検出位置を基準として算出するハイライトシーンの位置情報をメモリ手段に記憶し、再生時に前記メモリ手段に記憶された前記位置情報に基づき、コマーシャルメッセージとハイライトシーンが重なる部分がある場合は、ハイライトシーンの部分の区間から前記重なったコマーシャルメッセージ部分の区間を除いてハイライトシーンとし、前記ハイライトシーン以外はスキップして前記ハイライトシーンを再生する記録再生方法の構成とする。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】変更
【補正の内容】
【００１３】
７）  また、前記１）ないし６）のいずれかにおいて、前記位置情報を記憶するメモリ手段は、前記テレビジョン信号が記録再生される記録媒体を有してなる構成とする。
【手続補正１４】
【補正対象書類名】明細書
【補正対象項目名】００１４
【補正方法】変更
【補正の内容】
【００１４】
８）  また、前記１）ないし６）のいずれかにおいて、前記位置情報を記憶するメモリ手段は、半導体メモリを有してなる構成とする。
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】変更
【補正の内容】
【００２４】
以上の様に、本発明によれば、再生される映像信号、または音声信号の特徴から記録内容中のハイライトが検出可能であり、検出位置近傍の所定区間を選択的に再生することにより、記録内容を短時間に把握することが可能な記録再生装置および記録再生方法を実現することが出来る。
【手続補正２５】
【補正対象書類名】明細書
【補正対象項目名】００３０
【補正方法】変更
【補正の内容】
【００３０】
一方、映像・音声処理回路３２において処理された映像信号と音声信号は、ハイライト検出回路３３に供給される。ハイライト検出回路３３では、例えば図２、図３、図４の構成により記録番組中のハイライトを検出する。
【手続補正２６】
【補正対象書類名】明細書
【補正対象項目名】００３８
【補正方法】変更
【補正の内容】
【００３８】
キー入力装置４１より入力されるハイライトシーン再生要求によりマイコン４０から早送り再生の指令をテープ駆動回路１８に送り早送り再生を開始する。ハイライトシーン再生要求による早送り再生中、ハイライト検出回路３３により得点シーン、または歓声などが検出され、マイコン４０に供給される。マイコン４０では、ハイライト検出回路３３からの検出信号により巻き戻し再生の指令をテープ駆動回路１８へ送り巻き戻し再生を開始する。この巻き戻し再生の開始から、例えば３０秒分の移動により通常再生の指令をテープ駆動回路１８へ送り通常再生へ移行する。その後、ハイライト検出回路３３のハイライト検出位置から例えば１０秒分経過したことにより早送り再生の指令をテープ駆動回路１８に送り早送り再生を再開する。これにより、ハイライト検出回路３３によるハイライトの検出位置を基準として、前３０秒、後１０秒の区間を通常再生し、それ以外の区間を早送り再生することになる。
【手続補正２７】
【補正対象書類名】明細書
【補正対象項目名】００４６
【補正方法】変更
【補正の内容】
【００４６】
一方、マイコン４０では、キー入力装置４１より入力されるハイライトシーン再生要求によりテープ駆動回路１８へ早送り再生の指令を送り、早送り再生を開始する。ハイライトシーン再生要求による早送り再生中にハイライト位置読み書き回路３５より開始信号が供給されることにより、テープ駆動回路１８へ通常再生の指令を送り、ハイライトシーンの再生を開始する。また、ハイライト位置読み書き回路３５より終了信号が供給されることにより、テープ駆動回路１８へ早送り再生の指令を送り、早送り再生を再開する。
【手続補正２８】
【補正対象書類名】明細書
【補正対象項目名】００４８
【補正方法】変更
【補正の内容】
【００４８】
また、上記実施例において、ハイライトシーンの開始信号の書き込み時に、図１０に示す様に、ハイライト検出回路３３のハイライト検出時の状態(音声レベル、継続時間など)により開始信号Ａ、開始信号Ｂなどに区分けして書き込み、再生時に、これを選択(図１０ではＢを選択)して再生することにより、ハイライト検出の条件設定の切替を可能とする。
【手続補正２９】
【補正対象書類名】明細書
【補正対象項目名】００５６
【補正方法】変更
【補正の内容】
【００５６】
また、上記は、図１の実施例にテープ位置読み書き回路３６、及び記憶回路４２を付加したことによりハイライトシーンのみの再生を実現したが、同様にテープ位置読み書き回路３６、及び記憶回路４２を図６の実施例に付加することにより、音楽演奏部分のみの再生を実現可能である。
【手続補正３０】
【補正対象書類名】明細書
【補正対象項目名】００５９
【補正方法】変更
【補正の内容】
【００５９】
一方、ハイライト検出回路３３では、映像・音声処理回路３２から入力される映像信号、または音声信号の特徴から番組中のハイライトを検出し、マイコン４０に供給する。マイコン４０では、ハイライト検出回路３３によるハイライト検出部分の記録媒体に対する位置を記憶する。
【手続補正３１】
【補正対象書類名】明細書
【補正対象項目名】００６２
【補正方法】変更
【補正の内容】
【００６２】
また、上記は図８の実施例にコマーシャル判別回路３７を付加したことによりＣＭ部分のハイライトシーン再生の防止を実現したが、図１、図１１の実施例にコマーシャル判別回路３７を付加した場合にも同様の効果を得る。